(57)【特許請求の範囲】
【請求項１】
針床、地筬、ジャカード筬、ジャカード筬の横振り動作を制御するカムを備えるジャカードラッセル機において、
前記針床に1インチ当たりn本（nは12，14，18 のいずれか）の編針を配置し、
前記地筬のガイドに前記編針に対応して1インチ当たりn本の割合で経糸を通し、
前記ジャカード筬のガイドに1インチ当たりn本の割合で挿入糸を通し、
前記カムの駆動により前記ジャカード筬を2針間分横振り動作させ、任意のタイミングで当該ジャカード筬のガイドを0.5針間分変位させることで、当該ガイドに通した前記挿入糸を隣の編針に掛けることを特徴とするジャカードラッセル機。
【請求項２】
針床、地筬、ジャカード筬、ジャカード筬の横振り動作を制御するカムを備えるジャカードラッセル機による編成方法おいて、
前記針床に1インチ当たりn本（nは12，14，18 のいずれか）の編針を配置し、
前記地筬のガイドに前記編針に対応して1インチ当たりn本の割合で経糸を通し、
前記ジャカード筬のガイドに1インチ当たりn本の割合で挿入糸を通し、
前記カムの駆動により前記ジャカード筬を2針間分横振り動作させ、任意のタイミングで当該ジャカード筬が備えるガイドを0.5針間分変位させることで、当該ガイドに通した前記挿入糸を隣の編針に掛けることを特徴とする編成方法。
【発明の詳細な説明】
【技術分野】
【０００１】
本発明は、太い糸を用いた粗な編成によって重厚な質感を備えたレース編地を低コストで得られるジャカードラッセル機及び編成方法に関する。
【背景技術】
【０００２】
一般的なジャカードラッセル機は、地筬が供給する複数の経糸を編針で縦方向に鎖編み等していくことで複数のウェールを形成していきながら、ジャカード筬が供給する挿入糸をカム駆動により横方向に振りながら各ウェールに挿入して相互に連結することで網状の地組織を形成する。そして、挿入糸を通したガイドを適当なタイミングで横方向に変位（作用）させることで隣り合う2本の挿入糸を部分的に重ねたり、更には柄筬が供給する柄糸を挿入することにより生地の厚みや透孔の形等を変化させたレース編地を編成する。
地組織は全幅に亘って均一なゲージで編成される。例えば24ゲージの場合、針床に1インチ当たり24本の編針が配置され、各筬にも1インチ当たり24個のガイドが配置される。
ジャカード筬が複数枚（例えば前後2枚）で構成される場合には、いわゆるハーフセットと呼ばれる正面視した場合に挿入糸が重ならないように前後互い違い（1イン1アウト）でガイドに通すことで、ジャカード筬全体で挿入糸が1インチ当たり24本になるように設計する。
使用する経糸・挿入糸の太さは、ゲージ数（隣りの編針やガイドとの間隔）や筬の振り幅等の制約を受ける。ゲージ数が大きくなるほど細い糸を使用するため密な編成となり、一般的には薄手で繊細な質感を備える高品質のレース編地になる。
【０００３】
そこで、例えば特許文献1のレース編物の編成方法では、針床に基本編成針床と拡張編成針床とを混在させると共に拡張ゲージの筬を設けている。ウェールの間隔が粗になる地組織においては、密になる地組織に比して柄糸に緩みが生じやすくなり、柄糸が浮き上がると共に挿入糸に緩みが生じ、また、ウェール間が粗なので太い挿入糸を使用できる。これにより部分的に生地の厚みが異なった重厚な質感のレース編地を得られる。
【先行技術文献】
【特許文献】
【０００４】
【特許文献１】特開2001−164447号公報
【発明の概要】
【発明が解決しようとする課題】
【０００５】
しかし、上記特許文献1に記載された技術は編み機の構造を大幅に改造する必要があるため製造コストが嵩むという問題がある。
【０００６】
本発明は上記問題に鑑み、太い糸を用いた粗な編成によって重厚な質感を備えたレース編地を低コストで得られるジャカードラッセル機及び編成方法を提供することを課題とする。
【課題を解決するための手段】
【０００７】
本発明のジャカードラッセル機は、針床、地筬、ジャカード筬、ジャカード筬の横振り動作を制御するカムを備えるジャカードラッセル機において、前記針床に1インチ当たりn本（nは12，14，18 のいずれか）の編針を配置し、前記地筬のガイドに前記編針に対応して1インチ当たりn本の割合で経糸を通し、前記ジャカード筬のガイドに1インチ当たりn本の割合で挿入糸を通し、前記カムの駆動により前記ジャカード筬を2針間分横振り動作させ、任意のタイミングで当該ジャカード筬のガイドを0.5針間分変位させることで、当該ガイドに通した前記挿入糸を隣の編針に掛けることを特徴とする。
本発明の編成方法は、針床、地筬、ジャカード筬、ジャカード筬の横振り動作を制御するカムを備えるジャカードラッセル機による編成方法おいて、前記針床に1インチ当たりn本（nは12，14，18 のいずれか）の編針を配置し、前記地筬のガイドに前記編針に対応して1インチ当たりn本の割合で経糸を通し、前記ジャカード筬のガイドに1インチ当たりn本の割合で挿入糸を通し、前記カムの駆動により前記ジャカード筬を2針間分横振り動作させ、任意のタイミングで当該ジャカード筬が備えるガイドを0.5針間分変位させることで、当該ガイドに通した前記挿入糸を隣の編針に掛けることを特徴とする。
【発明の効果】
【０００８】
本発明では、カムの駆動によりジャカード筬を2針間分横振り動作させ、任意のタイミングで当該ジャカード筬のガイドを0.5針間分変位（作用）させる。ジャカード筬を2針間分横振り動作させた状態でジャカード筬のガイド及び挿入糸を0.5針間分変位（作用）させると、隣接するウェールに対して、変位（作用）させなかったガイドの挿入糸と、変位（作用）させたガイドの挿入糸の2本の挿入糸を重ねて挿入できる。これにより生地の厚みや透孔の形等を変化させることができる。
既存のジャカードラッセル機のゲージ数（例えば24,28,36ゲージ）の半分のゲージ数（n＝12，14，18）で針床、地筬及びジャカード筬を構成すれば、ガイド間隔を拡げて太い糸を使用できるようになると共にジャカード筬をそのまま転用できるので、粗な編成で重厚な質感を備えたレース編地を低コストで得られる。
【図面の簡単な説明】
【０００９】
【図１】本発明のレース編地の編成組織図
【図２】従来のレース編地の編成組織図
【図３】カムの駆動原理を示す図
【図４】本発明のレース編地の編成組織図
【図５】本発明のレース編地
【発明を実施するための形態】
【００１０】
以下、図面を参照して本発明の実施の形態について説明する。
本発明のジャカードラッセル機は針床、地筬、ジャカード筬、カムを備える。本発明の特徴は既存のジャカードラッセル機をベースにしてこれに大幅な改変を施すことなく太い糸を用いた粗な編成によって重厚な質感を備えたレース編地を低コストで得られる点にある。したがって、ジャカードラッセル機の構造に関する詳細な説明は省略する。本実施の形態では既存の24ゲージのジャカードラッセル機をベースにしている。
図1に示すように、針床には1インチ当たりn本の編針Nを配置している。本実施の形態ではn＝12、すなわち12ゲージの構成とするが、既存の24ゲージのジャカードラッセル機の針床を使用して、この針床に編針を1インチあたり12本配置すればよい。
【００１１】
地筬のガイドには編針に対応して1インチ当たりn＝12本の割合で経糸を通している。既存の24ゲージのジャカードラッセル機の地筬を利用して、この地筬のガイドに経糸を1インチあたり12本通すだけでよい。つまり、既存の地筬に配置されている1インチあたり24個のガイドに対し、一個おきで1インチあたり12個のガイドに経糸を通せばよい。図1に鎖編みの網目C1〜C4を示す。
【００１２】
ジャカード筬のガイドには1インチ当たりn＝12本の割合で挿入糸Yを通している。ジャカード筬はカムの駆動によりその横振り動作の移動量と移動タイミングが制御されており、ジャカード筬の各ガイドはジャカード機構により横方向に任意のタイミングで独立して変位（作用）させることができる。
上述したとおり、一般的な24ゲージのジャカードラッセル機においてジャカード筬が例えば前後2枚で構成される場合には、挿入糸はハーフセットとして前後互い違い（1イン1アウト）で1インチ当たり12本の割合でガイドに通されており、前後2枚のジャカード筬を正面視した場合に挿入糸が1インチ当たり24本になっている。したがって、一般的な24ゲージのジャカードラッセル機で使用している前後2枚のジャカード筬のうち一方を本発明のジャカード筬としてそのまま転用すればよい。
【００１３】
カムはジャカード筬の横振り動作の移動量と移動タイミングを制御するものである。
図2は既存の24ゲージのジャカードラッセル機におけるジャカード筬の横振り動作を示している。ジャカード筬の各ガイド及び挿入糸はカムの駆動により左右方向に24ゲージ換算でおおよそ1針間分移動しており、任意のタイミングでガイド及び挿入糸を一針間分変位（作用）させ（図2の第4及び第6コースの点線箇所A1’参照）、変位した挿入糸Y1’と、その隣の挿入糸Y2’とを重ねることで生地の厚みや透孔の形等を変化させている。
【００１４】
図1は本発明のジャカードラッセル機におけるジャカード筬の横振り動作を示している。ジャカード筬の各ガイド及び挿入糸Yはカムの駆動により左右方向に12ゲージ換算で2針間分横方向に移動している。
ジャカード筬の横方向への移動量の調節はカムの形状を変更することで容易に行なうことができる。図3(a)は既存の24ゲージのジャカードラッセル機におけるカム（パターンホイール）の形状及び駆動を模式的に表している。図3（b）に示すように支軸10を中心にして回転するカム20の形状を既存のカム21よりも高くすることで、ジャカード筬に連結する従動体30の横方向への移動量をD1からD2（ D1 ＜ D2 ）に変更できる。
符号Y1で示す挿入糸で説明すると、挿入糸Y1は第1コースでは符号N2の編針で鎖編みされた第2ウェールに挿入される。そして、次の第2コースで挿入糸Y1は12ゲージ換算で2針間分横方向に移動するが、この位置には編針が存在しないため、符号N3の編針に掛かり、当該編針N3で鎖編みされた第3ウェールに挿入される。これにより隣接する第2ウェールと第3ウェールとが挿入糸Y1によって連結される。なお、各挿入糸Yは常に適度な張力がかかるように調整されているため挿入糸Yにたるみは生じない。
【００１５】
図1中の点線箇所A1は、ジャカード筬のガイド及び挿入糸Yを横方向に12ゲージ換算で2針間分移動させた状態において、一つのガイド及び挿入糸Y1を更に横方向に変位（作用）させた状態を示している。この際のガイド及び挿入糸Y1の変位量は12ゲージ換算で0.5針間分（24ゲージ換算で1針間分）になっている。すなわち、本発明のジャカードラッセル機におけるガイド及び挿入糸Y1の変位量Lは図2に示す既存の24ゲージのジャカードラッセル機におけるガイド及び挿入糸Y1’の変位量Lと同一である。このように、既存の24ゲージのジャカードラッセル機で使用している前後2枚のジャカード筬のうち一方を本発明のジャカード筬としてそのまま転用でき、ジャカード筬の各ガイドを変位（作用）させるためのジャカード機構もそのまま転用できる。
ガイド及び挿入糸Yのカム駆動による横方向への移動量は2針間分で、これに変位量の0.5針間分を足し合わせると2.5針間分移動することになる。
挿入糸Y1が横方向に12ゲージ換算で0.5針間分変位（作用）した地点には符号N4で示す編針が存在するので、挿入糸Y1は当該編針N4に掛かり編針N4で鎖編みされた第4ウェールに挿入される。また、符号Y2で示す挿入糸も編針N4に掛かり第4ウェールに挿入されるので、挿入糸Y1とY2とが重なることになり、生地の厚みや透孔の形等を変化させることができる。本発明では通常のゲージ数の半分のゲージ数（例えば24ゲージの半分の12ゲージ（n＝12））で針床、地筬及びジャカード筬を構成しているので、隣り合う編針やガイドの間隔が拡がり、太い糸を使用した粗な編成を実現でき、重厚な質感を備えたレース編地を低コストで得られる。
【００１６】
図4はジャカード筬のガイドの移動量が図1よりもわずかに多い場合を示している。この場合もジャカード筬のガイドを0.5針間分変位（作用）させることで挿入糸Y1とY2の両方を第4ウェールに挿入することができる（点線箇所A2参照）。
このように、本発明において「ジャカード筬を2針間分横振り動作させる」とは、必ずしも正確に2針間分ジャカード筬を横振り動作させることだけを意味するわけではなく、ジャカード筬のガイドを0.5針間分変位させた際に挿入糸を隣の編針に掛けることができる程度におおよそ2針間分移動させることを意味する。
また、本実施の形態では既存の24ゲージのジャカードラッセル機をベースにして、その半分の12ゲージ（n＝12）で針床、地筬及びジャカード筬を構成するものとしたが、これに限らず既存の28ゲージや36ゲージのジャカードラッセル機をベースにして、その半分の14ゲージ（n＝14）や18ゲージ（n＝18）で針床、地筬及びジャカード筬を構成してもよい。当然のことながら、既存の24,28,36ゲージ以外のジャカードラッセル機にも本発明を適用できる。
また、更に柄筬を用いて太い柄糸を挿入することにしてもよい。
【００１７】
図5の写真は本発明のジャカードラッセル機及び編成方法で編成したレース編地である。一般的なレース編地と比較して太い糸を用いた粗な編成になっており、重厚な質感を備えていることが分かる。
【産業上の利用可能性】
【００１８】
本発明は、太い糸を用いた粗な編成によって重厚な質感を備えたレース編地を低コストで得られるジャカードラッセル機及び編成方法に関するものであり、産業上の利用可能性を有する。
【符号の説明】
【００１９】
C 網目
D1,D2 従動体の横方向への移動量
L ガイド及び挿入糸の変位量
N 編針
Y 挿入糸
10 支軸
20 カム
21 カム
30 従動体
【要約】
【課題】太い糸を用いた粗な編成によって重厚な質感を備えたレース編地を低コストで得られるジャカードラッセル機、編成方法及びこの編成方法で編成されるレース編地を提供する。
【解決手段】ジャカードラッセル機は針床、地筬、ジャカード筬、ジャカード筬の横振り動作を制御するカム20を備える。針床に1インチ当たりn本の編針Nを配置し、地筬のガイドに編針に対応して1インチ当たりn本の割合で経糸を通し、ジャカード筬のガイドに1インチ当たりn本の割合で挿入糸Yを通し、カムの駆動によりジャカード筬を2針間分以上であって3針間分より小さい範囲で横振り動作させ、任意のタイミングで当該ジャカード筬のガイドを0.5針間分変位させる。隣接するウェールに対して、変位（作用）させなかったガイドの挿入糸と、変位（作用）させたガイドの挿入糸の2本の挿入糸を重ねて挿入できる。これにより生地の厚みや透孔の形等を変化させることができる。
【選択図】図１【図１】
0005938129.tif 000002
【図２】
0005938129.tif 000003
【図３】
0005938129.tif 000004
【図４】
0005938129.tif 000005
【図５】
0005938129.tif 000006